(57)【要約】 【課題】床から壁への重量床衝撃音の伝搬に配慮して、床パネルの質量増加や床パネルの沈み込み等を招くことなく、重量床衝撃音を効果的に低減する遮音床構造を提供する。【解決手段】この遮音床構造は、互いに略平行に配置した複数の床梁１・・に跨って、複数の床パネル４・・を並設してなり、床梁１・・間の間隔Ｌ１を、通常よりも狭い５００ｍｍに設定し、床パネル４・・を、一辺の長さＬ２が５００ｍｍの略正方形状に形成する。これにより、床パネル４・・に発生した低域周波数の振動が床梁１・・を介して分散されて壁構造体３へ伝達され、下階の内壁面から重量床衝撃音が分散した状態で放射されて、下階に伝搬する重量床衝撃音が小さくなる。【選択図】図１
2007162247.tif 000002
【特許請求の範囲】
【請求項１】
互いに略平行に配置した複数の床梁（１）・・に跨って、複数の床パネル（４）・・を並設してなり、前記床梁（１）・・間の間隔（Ｌ１）を４００〜６００ｍｍに設定したことを特徴とする建物の遮音床構造。
【請求項２】
前記床パネル（４）・・を、一辺の長さ（Ｌ２）が４００〜６００ｍｍの略正方形状に形成した請求項１記載の建物の遮音床構造。
【請求項３】
隣接する床パネル（４）・・の端面間に隙間（２１）を形成して、その隙間（２１）に振動を減衰する減衰材（２２）を設けた請求項１又は２記載の建物の遮音床構造。
【請求項４】
前記床パネル（４）・・の相対する端部を、隣接する床梁（１）（１）上に固定した請求項１乃至３のいずれかに記載の建物の遮音床構造。
【請求項５】
前記床梁（１）・・は、Ｈ形鋼からなり、前記床パネル（４）・・は、ＡＬＣパネルからなる請求項１乃至４のいずれかに記載の建物の遮音床構造。
【発明の詳細な説明】
【技術分野】
【０００１】
この発明は、戸建て住宅やマンション等の建物の遮音床構造に関する。
【背景技術】
【０００２】
従来、戸建て住宅等の建物において、床衝撃音を低減させるために、床パネルの質量を大きくしたり、例えば特許文献１にも開示されているように、床パネルと床梁との間に防振材を介在させるといった対策が採られている。
【０００３】
【特許文献１】特開２００５−１５５２８８号公報
【発明の開示】
【発明が解決しようとする課題】
【０００４】
しかしながら、いずれの対策も中高域周波数の振動に伴う騒音(軽量床衝撃音)を改善することは比較的容易であるが、低域周波数の振動に伴う騒音(重量床衝撃音)を改善することは一般的に困難である。戸建て住宅等においては、特に子供が飛び跳ねたとき等に発生する重量床衝撃音が問題となることが多く、このような重量床衝撃音を効果的に抑えることができる遮音性能が要求されるが、上記のような対策では、このような要求に十分に答えることができなかった。
【０００５】
しかも、床パネルの質量を大きくする場合には、床パネルを支えるための構造体の設計変更が必要とされ、特に戸建て住宅においては床パネルの面密度を重量床衝撃音の低減に有効とされる面密度まで高めることは困難であった。
【０００６】
また、床パネルと床梁との間に防振材を介在させる場合には、床パネルの沈み込みが生じ易くなり、これに伴って音鳴りの発生や歩行感の悪化といった問題が生じるおそれがあった。
【０００７】
そこで、この発明者らは、鋭意研究を重ねた結果、床に衝撃力が加わったときに発生する重量床衝撃音は、床下の天井面を介して下階へ放射されるのは勿論のこと、床梁から外壁の壁構造体に伝搬して下階の内壁面からも放射されており、従って床自体の遮音性能の向上も重要であるが、従来あまり論じられていなかった床から壁への重量床衝撃音の伝搬に配慮することも、重量床衝撃音の低減にあっての重要な対策の１つであることを見出した。
【０００８】
この発明は、上記に鑑み、床から壁への重量床衝撃音の伝搬に配慮して、床パネルの質量増加や床パネルの沈み込み等を招くことなく、重量床衝撃音を効果的に低減することができる建物の遮音床構造の提供を目的とする。
【課題を解決するための手段】
【０００９】
上記課題を解決するため、この発明の建物の遮音床構造は、互いに略平行に配置した複数の床梁１・・に跨って、複数の床パネル４・・を並設してなり、前記床梁１・・間の間隔Ｌ１を４００〜６００ｍｍに設定したことを特徴とする。
【００１０】
また、前記床パネル４・・を、一辺の長さＬ２が４００〜６００ｍｍの略正方形状に形成している。さらに、隣接する床パネル４・・の端面間に隙間２１を形成して、その隙間２１に振動を減衰する減衰材２２を設けている。さらにまた、前記床パネル４・・の相対する端部を、隣接する床梁１、１上に固定している。
【００１１】
また、前記床梁１・・は、Ｈ形鋼からなり、前記床パネル４・・は、ＡＬＣパネルからなる。
【発明の効果】
【００１２】
この発明の遮音床構造においては、互いに略平行に配置した複数の床梁間の間隔を４００〜６００ｍｍに設定して、床梁を通常よりも密に配置しているので、これら床梁を壁構造体に連結することで、床パネルに発生した低域周波数の振動が、床梁を介して分散されて壁構造体へ伝達されることになる。従って、床からの低域周波数の振動を壁の広い範囲で受けることになって、この低域周波数の振動に伴う騒音(重量床衝撃音)が下階の内壁面から分散した状態で放射されて、下階に伝搬する重量床衝撃音を小さくすることができる。
【００１３】
すなわち、この発明の遮音床構造においては、従来あまり論じられていなかった床から壁への重量床衝撃音の伝搬に配慮することで、床パネルの質量増加や床パネルの沈み込み等の不具合を生じることなく、重量床衝撃音を効果的に低減することができる。
【００１４】
また、床パネルについても、一辺の長さが４００〜６００ｍｍの略正方形状に細分化しているので、これら床パネルの端面間に減衰材を挟み込んだり、床パネルの端面同士を接触させることによって、振動の減衰領域を広く確保することができ、床パネルの沈み込みによる歩行感の悪化等を招くことなく、床から壁へ伝達される振動を効率良く減衰して、重量床衝撃音をより一層低減することができる。
【発明を実施するための最良の形態】
【００１５】
以下、この発明の実施形態を図面に基づいて詳細に説明する。図１は、この発明の一実施形態に係る遮音床構造を示している。図において、１・・は、例えば鉄骨系住宅における床梁を示している。これら床梁１・・は、例えばＨ形鋼からなり、一対のフランジ２、２が上下平行となるようにして、４００〜６００ｍｍ、好ましくは５００ｍｍの間隔Ｌ１をあけて互いに略平行に配置されている。これら床梁１・・には、外壁における軸組等の壁構造体３・・が直接的又は間接的に連結されている。
【００１６】
４・・は、床梁１・・に跨って並設された床パネルである。これら床パネル４・・は、例えばＡＬＣパネルからなり、床梁１・・の配置ピッチに合わせるようにして、一辺の長さＬ２が４００〜６００ｍｍ、好ましくは５００ｍｍの略正方形状に形成されている。床パネル４の厚みは、例えば１００ｍｍとされている。これら床パネル４・・上には、図示しない床仕上げ材が敷き詰められるようになっている。なお、床パネル４の形状及び大きさは、これに限定されるものではなく、例えば略長方形状に形成しても良い。
【００１７】
図２及び図３は、床梁１・・への床パネル４・・の固定構造を示している。各床パネル４は、その相対する端部が隣接する床梁１、１の上側フランジ２、２上に固定金具１０、１１を介して固定されている。
【００１８】
固定金具１０は、床梁１の長手方向に対して直交する方向に隣接する床パネル４、４の端部を床梁１に同時に固定するためのもので、床梁１の上側フランジ２に引っ掛けるフック１２と、このフック１２から立ち上がったボルト１３と、このボルト１３を挿通する挿通孔を有するプレート１５と、ボルト１３に螺合するナット１６とを備えている。
【００１９】
固定金具１１は、外壁部に隣接する床パネル４の端部を床梁１に固定するためのもので、そのプレート１５が略Ｌ形に形成されている以外は、固定金具１０と同様である。
【００２０】
そして、これら固定金具１０、１１による固定に際しては、フック１２を床梁１の上側フランジ２に引っ掛けた状態で、ボルト１３に螺合したナット１６を締め付けて、プレート１５を床梁１の上側フランジ２上に設置した床パネル４の端部上面に押し付けることで、床パネル４の端部を床梁１に固定するようになっている。なお、床パネル４の相対する端部中央には、固定金具１０、１１を収容する切欠部２０が形成されている。
【００２１】
このようにして床梁１・・に固定されて並設された床パネル４・・において、図４に示すように、隣接する床パネル４・・の端面間には隙間２１が形成されており、その隙間２１に振動を減衰する減衰材としてゴム製の減衰シート２２・・が設けられている。なお、減衰シート２２・・を設ける代わりに、隣接する床パネル４・・の端面同士を接触させるようにしても良い。
【００２２】
上記構成において、床パネル４・・に対して子供が飛び跳ねたときのような衝撃力が加わると、その衝撃力によって床パネル４・・に低域周波数の振動が発生して、この振動が床梁１・・を介して壁構造体３・・へ伝達される。
【００２３】
このとき、床梁１・・の配置ピッチが、通常であれば例えば２０００ｍｍであるところを、４００〜６００ｍｍ(好ましくは５００ｍｍ)として単位面積当たりの床梁１・・の本数を増やしていることから、振動が集中することなくほぼ均等に分散されて壁構造体３・・へ伝達されることになる。
【００２４】
これにより、床からの低域周波数の振動を、通常であれば壁の狭い範囲で集中して受けるところを、壁の広い範囲で受けることになって、この低域周波数の振動に伴う騒音(重量床衝撃音)が下階の内壁面から分散した状態で放射されて、結果的に下階に伝搬する重量床衝撃音を低減することができる。なお、床梁１・・の配置ピッチが６００ｍｍよりも大きくなると、重量床衝撃音の低減効果があまり期待できず、また４００ｍｍよりも小さくなると、それだけ床梁１・・の本数及び固定金具１０・・の個数が増えて設備費が高騰するとともに、重量の増大を招いて新たに設計変更が必要となるため、床梁１・・の配置ピッチとしては４００〜６００ｍｍが適当である。特に、メータモジュールを採用している戸建て住宅においては、床梁１・・の配置ピッチを５００ｍｍとすることが施工上の点からも好ましい。
【００２５】
また、床パネル４・・が、通常であれば例えば長辺側端部の長さが２０００ｍｍ、短辺側端部の長さが５００ｍｍの略長方形状に形成されているところを、４００〜６００ｍｍ(好ましくは５００ｍｍ)角の略正方形状に形成されていて、このように細分化が図られた床パネル４・・の端面間に減衰シート２２・・が挟み込まれているので、床パネル４・・の沈み込みによる歩行感の悪化を招くことなく、床から壁へ伝達される振動を減衰することができ、重量床衝撃音をより一層低減することができる。なお、減衰シート２２・・を設ける代わりに、床パネル４・・の端面同士を接触させるようにしても、衝撃力が加わったときの床パネル４・・の端面同士の摩擦により振動を減衰することができる。
【００２６】
この発明は、上記実施形態に限定されるものではなく、この発明の範囲内で上記実施形態に多くの修正及び変更を加え得ることは勿論である。例えば、床梁１としては、Ｈ形鋼以外の鋼材を用いても良く、また木質系住宅の場合には木材が用いられる。また、床パネル４としては、ＡＬＣパネルに限らず、例えばコンクリートスラブパネル、コンクリートスラブパネルに鋼材を埋め込んだハイブリッドパネル、さらには合板等の板状材を用いるようにしても良い。さらに、隣接する床パネル４・・の端面間に挟み込む減衰材としては、シート状のものに限らず、例えば線状や粒状のもの、さらには隙間に流し込んで固めたものであっても良い。
【図面の簡単な説明】
【００２７】
【図１】この発明の一実施形態に係る遮音床構造を示す斜視図である。
【図２】同じくその床パネルの固定構造を示す縦断面図である。
【図３】同じくその床パネルの固定構造を示す縦断面図である。
【図４】同じくその部分拡大斜視図である。
【符号の説明】
【００２８】
１・・床梁
４・・床パネル
２１・・隙間
２２・・減衰材
【図１】
2007162247.tif 000003
【図２】
2007162247.tif 000004
【図３】
2007162247.tif 000005
【図４】
2007162247.tif 000006